(57)【要約】【課題】大きな負担を必要とせずに二酸化炭素の量を低減させることができる物品を提供する。【解決手段】光合成物品１０は、ベース材１２と、ベース材１２上に形成された塗工膜１４と、を有している。塗工膜内には、気生藻類や地衣類に属する生物２０が保持されている。この光合成物品１０は例えば生活消費材に適用され、この場合、一般市民の生活において二酸化炭素の量を低減することが可能となる。【選択図】図１
2010233518.tif 000002
【特許請求の範囲】
【請求項１】
ベース材と、
前記ベース材上に形成された塗工膜と、
気生藻類または地衣類に属する生物であって、前記塗工膜内に保持された生物と、を備える
ことを特徴とする光合成物品。
【請求項２】
前記塗工膜は、前記生物を含んだ塗工液を前記ベース材に塗工することによって、形成されている
ことを特徴とする請求項１に記載の光合成物品。
【請求項３】
前記塗工膜は多孔質の膜である
ことを特徴とする請求項１または２に記載の光合成物品。
【請求項４】
前記塗工膜は、前記生物を担持した多孔質片を含んだ塗工液を前記ベース材に塗工することによって、形成され、
前記塗工膜内において、前記生物は前記多孔質片に担持されている
ことを特徴とする請求項１に記載の光合成物品。
【請求項５】
前記塗工膜は通気性を有する
ことを特徴とする請求項１〜４のいずれか一項に記載の光合成物品。
【請求項６】
前記ベース材は多孔質体である
ことを特徴とする請求項１〜５のいずれか一項に記載の光合成物品。
【請求項７】
前記ベース材は紙、樹脂、金属、コンクリート、木材、セラミックス、または、不織布からなる
ことを特徴とする請求項１〜６のいずれか一項に記載の光合成物品。
【請求項８】
前記塗工膜と重ねて配置された保護層をさらに備え、
前記塗工膜は、前記ベース材と前記保護層との間に配置されている
ことを特徴とする請求項１〜７のいずれか一項に記載の光合成物品。
【請求項９】
前記塗工膜および前記保護層の間に配置され、前記塗工膜および前記保護層を互いに接合する接合層をさらに備える
ことを特徴とする請求項８に記載の光合成物品。
【請求項１０】
多孔質体からなるベース材と、
気生藻類または地衣類に属する生物であって、前記ベース材に保持された生物と、を備える
ことを特徴とする光合成物品。
【請求項１１】
前記ベース材と重ねて配置された保護層をさらに備える
ことを特徴とする請求項９に記載の光合成物品。
【請求項１２】
前記ベース材および前記保護層の間に配置され、前記ベース材および前記保護層を互いに接合する接合層をさらに有する
ことを特徴とする請求項１１に記載の光合成物品。
【請求項１３】
前記保護層は通気性を有する
ことを特徴とする請求項８，９，１１または１２に記載の光合成物品。
【請求項１４】
前記保護層および前記接合層は通気性を有する
ことを特徴とする請求項９または１２に記載の光合成物品。
【請求項１５】
前記保護層は多孔質の層である
ことを特徴とする請求項８，９，１１，１２，１３または１４に記載の光合成物品。
【請求項１６】
前記ベース材は通気性を有する
ことを特徴とする請求項１〜１５のいずれか一項に記載の光合成物品。
【請求項１７】
溶媒と、
気生藻類または地衣類に属する生物であって、前記溶媒中の分散された生物と、を備える
ことを特徴とする光合成塗工液。
【請求項１８】
前記溶媒中に分散された多孔質片をさらに備え、
前記生物は、前記多孔質片に担持されている
ことを特徴とする請求項１７に記載の光合成塗工液。
【請求項１９】
多孔質体を形成するようになる材料を、さらに備える
ことを特徴とする請求項１７または１８に記載の光合成塗工液。
【請求項２０】
ケースと、
前記ケース内に設けられた保水剤と、
前記保水剤に保持されたＣＡＭ植物と、を備える
ことを特徴とする光合成物品。
【発明の詳細な説明】
【技術分野】
【０００１】
本発明は、光合成によって二酸化炭素を吸収することができる物品および塗工液に関する。
【背景技術】
【０００２】
昨今、地球温暖化は周知の問題となっている。地球温暖化は、異常気象による気象災害や、海水面の上昇等といった極めて深刻な事態を引き起こすと想定されている。このため、政府レベルにおいて、地球温暖化の主原因となる温室効果ガス、とりわけ二酸化炭素の排出量を低下させる取り組みが行われている。このような取り組みの例として、１９９７年の地球温暖化防止会議で決議された京都議定書に基づく取り組みや、２００８年の洞爺湖Ｇ８サミット（主要国首脳会議）での温室効果ガス削減の合意が、挙げられる。
【０００３】
また、今般においては、政府だけでなく、民間企業、さらには一般市民にまで、温暖化防止の意識が浸透しつつある。一例として、民間企業が、環境に配慮した商品（環境配慮型商品やエコプロダクト等とも呼ばれる）を提案し、一般市民が、この環境配慮型商品を好んで求めようとする傾向が生じつつある。この傾向は、企業の経済活動および一般市民の消費生活が環境維持という課題に共同して貢献することを可能にしており、非常に理想的であると言える。
【０００４】
環境に配慮した商品として、特許文献１や特許文献２に開示された商品が例示される。特許文献１および特許文献２に開示された商品によれば、緑化によって、すなわち植物の光合成により、二酸化炭素を吸収することができる。具体的には、特許文献１は、緑化のための施工用パネルを開示している。一方、特許文献２は、携帯可能な観葉植物を開示している。
【先行技術文献】
【特許文献】
【０００５】
【特許文献１】公開特許公報：特開２００２−３６４１３０号
【特許文献２】登録実用新案公報：第３１２０３８９号
【発明の概要】
【０００６】
しかしながら、特許文献１および特許文献２に開示された環境配慮型商品においては、水分や栄養分を植物に頻繁に与えなければ、二酸化炭素を吸収し続けることができない。したがって、これらの商品は、植物の育成を負担に考える人々には普及しない。
【０００７】
また、特許文献１および特許文献２に開示された商品は、それ自体がその需要を大きく喚起するといった商品ではないし、一般市民の生活に必ずしも必要な商品でもない。したがって、特許文献１および特許文献２に開示された発明では、環境配慮型商品を一般市民が繰り返し購入する又は継続的に使用することによって、二酸化炭素の量を効果的に低減させていくことを期待することはできない。
【０００８】
本発明はこのような点を考慮してなされたものであり、大きな負担を必要とせずに二酸化炭素の量を効果的に低減することができる物品を提供することを目的とする。また、本発明は、大きな負担を必要とせずに二酸化炭素の量を効果的に低減させることができる塗工液を提供することを目的とする。
【課題を解決するための手段】
【０００９】
本発明による第１の光合成物品は、ベース材と、前記ベース材上に形成された塗工膜と、気生藻類または地衣類に属する生物であって、前記塗工膜内に保持された生物と、を備えることを特徴とする。
【００１０】
本発明による第１の光合成物品において、前記塗工膜は、前記生物を含んだ塗工液を前記ベース材に塗工することによって、形成されていてもよい。
【００１１】
また、本発明による第１の光合成物品において、前記塗工膜は多孔質の膜であってもよい。
【００１２】
さらに、本発明による第１の光合成物品において、前記塗工膜は、前記生物を担持した多孔質片を含んだ塗工液を前記ベース材に塗工することによって、形成され、前記塗工膜内において、前記生物は前記多孔質片に担持されていてもよい。
【００１３】
さらに、本発明による第１の光合成物品において、前記塗工膜は通気性を有するようにしてもよい。
【００１４】
さらに、本発明による第１の光合成物品において、前記ベース材は多孔質体であるようにしてもよい。
【００１５】
さらに、本発明による第１の光合成物品において、前記ベース材は紙、樹脂、金属、コンクリート、木材、セラミックス、または、不織布からなっていてもよい。
【００１６】
さらに、本発明による第１の光合成物品が、前記塗工膜と重ねて配置された保護層をさらに備え、前記塗工膜は、前記ベース材と前記保護層との間に配置されているようにしてもよい。このような本発明による第１の光合成物品が、前記塗工膜および前記保護層の間に配置され、前記塗工膜および前記保護層を互いに接合する接合層をさらに備えるようにしてもよい。
【００１７】
本発明による第２の光合成物品は、多孔質体からなるベース材と、気生藻類または地衣類に属する生物であって、前記ベース材に保持された生物と、を備えることを特徴とする。
【００１８】
本発明による第２の光合成物品が、前記ベース材と重ねて配置された保護層をさらに備えるようにしてもよい。このような本発明による第２の光合成物品が、前記ベース材および前記保護層の間に配置され、前記ベース材および前記保護層を互いに接合する接合層をさらに備えるようにしてもよい。
【００１９】
本発明による第１または第２の光合成物品において、前記保護層は通気性を有するようにしてもよい。また、本発明による第１または第２の光合成物品において、前記保護層および前記接合層は通気性を有するようにしてもよい。
【００２０】
また、本発明による第１または第２の光合成物品において、前記保護層は多孔質の層であるようにしてもよい。
【００２１】
さらに、本発明による第１または第２の光合成物品において、前記ベース材は通気性を有するようにしてもよい。
【００２２】
本発明による光合成塗工液は、溶媒と、気生藻類または地衣類に属する生物であって、前記溶媒中の分散された生物と、を備えることを特徴とする。
【００２３】
また、本発明による光合成塗工液は、前記溶媒中に分散された多孔質片をさらに備え、前記生物は、前記多孔質片に担持されているようにしてもよい。
【００２４】
さらに、本発明による光合成塗工液は、多孔質体を形成するようになる材料を、さらに備えるようにしてもよい。
【００２５】
本発明による第３の光合成物品は、ケースと、前記ケース内に設けられた保水剤と、前記保水剤に保持されたＣＡＭ植物と、を備えることを特徴とする。
【発明の効果】
【００２６】
本発明による光合成物品および光合成塗工液は、例えば生活消費材や建材等の生活に密着した商品に適用し得る。この光合成物品および光合成塗工液が適用された商品によれば、生物の光合成による二酸化炭素の吸収を期待することができる。したがって、光合成物品および光合成塗工液が適用された商品を使用することにより、二酸化炭素量の低減に貢献することが可能となる。
【図面の簡単な説明】
【００２７】
【図１】図１は、本発明による光合成物品の第１の実施の形態を示す断面図である。
【図２】図２は、本発明による光合成物品の第２の実施の形態を示す斜視図である。
【図３】図３は、図２のＩＩＩ−ＩＩＩ線に沿った断面を示す図である。
【発明を実施するための形態】
【００２８】
以下、図面を参照して本発明の第１の実施の形態および第２の実施の形態について説明する。
【００２９】
〔第１の実施の形態〕
第１の実施の形態においては、本発明による光合成物品を、シート状の物品に適用した例について説明する。
【００３０】
図１は、シート状物品として形成された第１の実施の形態による光合成物品１０の断面図である。図１に示すように、光合成物品１０は、ベース材１２と、ベース材１２上に形成された塗工膜１４と、塗工膜１４上に設けられた保護層１８と、を有している。このうち、ベース材１２は通気性を有した紙や樹脂フィルムから構成され得る。
【００３１】
塗工膜１４は、母材１４ａと、母材１４ａ中に分散された生物２０と、を含んでいる。すなわち、生物２０は、母材１４ａを介してベース材１２に保持されている。母材１４ａは、後述するように、溶媒を乾燥してなる物質である。一方、本実施の形態において、この生物２０は、気生藻類の属する生物および地衣類に属する生物の少なくともいずれか一方を含んでいる。
【００３２】
ここで気生藻類とは、藻類のうち、陸上の岩や樹皮表面などの水中以外で生育する生物の総称である。この気生藻類は、直接的に水分が供給されなくても、大気中に存在する湿気（水分）が結露した水分等によって、或る程度の長期間（例えば、１年）にわたって、生息することができる。また、このような気生藻類には、防カビ効果および防腐効果を期待することもできる。具体的な例としては、藍藻、クロレラ、アパトコックス、スミレモ等が挙げられる。
【００３３】
一方、地衣類とは、光合成をしない菌類と、光合成をする下等植物と、が細胞外で共生してなる共生生物である。菌類としては、例えば、子嚢菌（カビ）が挙げられる。光合成をする下等植物としては、例えば、シアノバクテリアや藻類（とりわけ気生藻類）等が挙げられる。地衣類に属する共生体では、藻類等の下等植物は、菌類の菌糸上に生息することによって、乾燥からさらに守られやすくなる。一方、菌類は、藻類が光合成することによって生成した糖類に依存して生存している。このような地衣類は、通常、樹木、岩、壁等の表面等の、養分や水分が直接的に得られない過酷な環境下に生息している。地衣類は、直接的に水分が供給されなくても、大気中に存在する湿気（水分）が結露した水分等によって、或る程度の長期間（例えば、１年）にわたって、生息することができる。また、気生藻類と同様に、このような地衣類には、防カビ効果および防腐効果を期待することもできる。
【００３４】
このような生物２０を含む塗工膜１４は、一方の側から通気性を有したベース材１２によって保護されている。同時に、この塗工膜１４は、他方の側から保護膜１８によって保護されている。このベース材１２および保護膜１８によって、光合成物品１０からの生物２０の脱落や、外部との接触等に起因した生物２０の損傷を防止することができる。
【００３５】
ここで、保護膜１８は、例えば、透光性を有した樹脂フィルムによって形成され得る。保護膜１８が透光性を有することにより、生物２０は、少なくとも保護膜１８を介して光を吸収して光合成を行うことができる。また、上述したように、ベース材１２が通気性を有することから、生物２０は、光合成の際に、二酸化炭素を吸収することができるとともに酸素を排出することもできる。
【００３６】
なお、図１に示すように、本実施の形態において、保護膜１８は、接合層１６を介して、塗工膜１４に積層されている。この接合層１６は、でんぷん糊等、生物２０の生育に悪影響を与え難い接着剤から好適に形成され得る。接合層１６が多糖類からなる接着剤によって形成されている場合、生物２０は、接合層１６から栄養分を吸収することができる。
【００３７】
次に、以上のような光合成物品１０を製造する方法の一例について説明する。以下の例においては、生物２０を含んだ光合成塗工液を用い、光合成物品１０を作製する。
【００３８】
まず、ベース材１２の表面に、例えばグラビア印刷、フレキソ印刷、オフセット印刷等の公知の印刷手段を用い、光合成塗工液を塗工する。ここで、光合成塗工液は、溶媒と、溶媒中に分散された生物２０と、を含んだインクや塗料等である。溶媒は、生物２０に好適な生存環境をもたらすため、水性溶媒であることが好ましい。ただし、生物２０が生存可能であれば、有機物を含む混合溶媒や有機触媒を用いてもよい。また、光合成塗工液は、必要に応じて、その他の添加物、例えば、界面活性剤、消泡剤、バインダーを含んでいてもよい。
【００３９】
さらには、光合成塗工液が、多孔質体を形成し得る材料、例えば多孔質体を形成し得る粒子や樹脂等を含んでいてもよい。また、光合成塗工液が、多孔質体の小片（多孔質片）を含んでいてもよい。これらの場合、光合成塗工液を塗工してなる塗工膜１４は、生物２０を担持する多孔質体の膜となる。多孔質体を形成するようになる塗工膜１４に吸湿性を持たせれば、塗工膜１４が、生物２０の生育や光合成に必要となる水分を大気中から吸収することができるようになる。さらには、多孔質体からなる塗工膜１４に、生物２０の生育や光合成に寄与し得る水分や栄養分を積極的に保持させておくこともできる。なお、多孔質体の吸湿性に起因したこれらの効果を期待する観点からは、生物２０が予め固定された多孔質片を塗工液内に分散させておくことが好ましい。
【００４０】
なお、光合成塗工液は、顔料または染料によって着色されていてもよいし、あるいは、着色されていなくてもよい。生物２０自体で目的とする色が得られる場合は、顔料や染料で着色せずにそのまま使用可能である。また、光合成塗工液は、ベース材１２の表面の一部分のみに塗工されてもよいし、あるいは、ベース材１２の表面の全領域に塗工されていてもよい。光合成塗工液が着色されていれば、所定のパターンでベース材１２の表面に光合成塗工液を塗工することによって、光合成物品の意匠性を向上させることができる。その一方で、光合成塗工液がベース材１２の表面の全領域に塗工されていれば、光合成物品１０がより多くの生物２０を保持することになり、光合成物品１０が、後述する二酸化炭素の吸収機能をより効果的に発揮することができるようになる。
【００４１】
次に、ベース材１２の表面に塗工された光合成塗工液を乾燥させる。この乾燥は、自然乾燥で行われ得る。また、この乾燥は、光合成塗工液中の生物２０が死滅することのない条件、例えば１０℃〜１００℃程度の温風を１０秒〜６００秒間にわたって光合成塗工液に吹き付けることによっても、行われ得る。光合成塗工液の溶媒は、乾燥硬化して、上述した塗工膜１４の母材（溶媒乾燥物）１４ａを形成するようになる。このようにして、母材１４ａと母材１４ａ中に分散された生物２０とからなる塗工膜１４が、ベース材１２の表面に形成されるようになる。
【００４２】
その後、でんぷん糊を介して保護フィルムを塗工膜１４上に積層（例えば、ロールコート）することにより、上述した接合層１６および保護膜１８が、母材１４ａ上に形成される。このようにして、シート状の光合成物品１０が得られる。これらの接合工程は、同時でも良い。
【００４３】
次に、以上のような構成からなる光合成物品１０の作用について説明する。上述したように、光合成物品１０のベース材１２上には、生物２０が担持されている。ベース材１２は、通気性を有する紙や樹脂等からなっている。したがって、生物２０は、ベース材１２を介し、空気中の二酸化炭素と、結露水や塗布された水分と、を取り込むことができる。また、保護層１８が透光性を有しているため、生物２０は、十分な量の照明等の環境光や太陽光を浴びることができる。この結果、光合成物品１０に含まれる生物２０は、光合成を行い、周囲から取り込んだ二酸化炭素と水分を酸素および栄養分に変換する。このようにして、シート状からなる光合成物品１０は、二酸化炭素を吸収可能な素材として機能することができる。
【００４４】
なお、光合成物品１０に含まれた生物２０は、気生藻類の属する藻類または地衣類に属する生物である。したがって、生物２０は、週に１回程度の霧吹き等による水分供給で生存することができる。このため、大きな負担を強いられることなく、光合成物品２０の二酸化炭素吸収作用を長期間にわたって確保することができる。
【００４５】
また、生物２０は、或る程度の期間であれば、積極的に水分を与えられなくとも生存することができる。このため、光合成物品１０が適用された商品のライフサイクルによっては、使用者が、全く負担を強いられることなく一つの光合成物品１０を使用し続けることができる。その後、使用者は、次の光合成物品１０を購入して使用することによって、絶えず、二酸化炭素の吸収に寄与することになる。また、企業は、単に光合成物品１０を生産するのではなく、使用済みの光合成物品１０を回収し、使用済みの光合成物品１０に含まれていた生物２０を、新たな光合成物品において、再利用するようにしてもよい。
【００４６】
さらに、本実施の形態において、生物２０を含む塗工膜１４は、ベース材１２および保護膜１８によって、両側から覆われている。したがって、生物２０は、ベース材１２および保護膜１８によって保護され得る。これにより、生物２０が光合成物品１０から脱落してしまうことや、生物２０が外部との接触により損傷を受けてしまうことを防止することができる。
【００４７】
さらに、本実施の形態において、生物２０を含む塗工膜１４は、例えばでんぷん糊からなる接合層１６を介し、保護膜１８をなす保護フィルム１８と接合されている。このでんぷん糊が栄養供給源となり、生物２０に生存しやすい環境を提供することができる。
【００４８】
ところで、光合成物品１０は、シート状に形成されており、種々の商品や、種々の商品の包装材料として用いることができる。したがって、このような光合成物品１０を、一般市民から絶えず需要がある商品の包装材料、一具体例として生活必需用品の詰め替え容器等に、適用することができる。この場合、一般市民は、この環境配慮型商品（エコ・プロダクト）を購入しさえすれば、その他の大きな負担を強いられることなく、二酸化炭素の削減活動に参加することができる。今般、地球の将来に漠然と不安を感じ、何らかの形で環境保全に貢献したいと願っている人々が多数存在する。この人々は、光合成物品１０が適用された商品自体の商品力だけでなく光合成物品１０の二酸化炭素吸収機能に大きな魅力を感じ、結果として、この光合成物品１０が適用された環境配慮型商品（エコ・プロダクト）が広く普及していくことを期待することができる。このような環境配慮型商品（エコ・プロダクト）の普及は、企業の経済活動（供給）および一般市民の消費生活（需要）を土台として成立しており、理想的な循環サイクルに基づいた永久的な環境保全活動の創出を意味する。とりわけ、一般市民を巻き込む活動となることから、莫大な量での二酸化炭素の削減を期待することができる。加えて、一般市民に対して環境保全の重要性をさらに強く認識させることができ、これにより、全員参加型の環境保全活動が効果的に推進されていくことを期待することもできる。
【００４９】
以上のような第１の実施の形態によれば、一般市民に広く使用される用品に適用され得る光合成物品１０によって、大きな負担を必要とせずに二酸化炭素の量を低減させることができる。
【００５０】
なお、上述した第１の実施の形態に対して様々な変更を加えることが可能である。以下、変形の一例について説明する。
【００５１】
まず、上述した第１の実施の形態において、シート状の光合成物品１０が包装用材料に適用される例を説明したが、これに限られない。包装用材料に限られず種々の物品、例えば、カード、ポスター、カレンダー等の生活消費材（生活必需品等、人間の生活において消費されていく物品）や、建材（例えば壁紙）等に、光合成物品１０を適用することができる。
【００５２】
また、上述した実施の形態において、光合成物品１０がシート状に形成される例を示したが、これに限られず、種々の形状を有するようにしてもよい。例えば、特定の立体形状を有した生活用品の本体に生物を担持させ、これにより、特定の立体形状を有した生活用品自体が光合成物品２０をなすようにしてもよい。この場合、生活用品の本体が、特定の立体形状を有したベース材をなすようになる。
【００５３】
さらに、上述した実施の形態において、光合成塗工液を、インクとして、シート状のベース材１２に塗工することによって光合成物品を作製する例を示したが、これに限られない。例えば、光合成塗工液を、インクまたは塗料として、特定の形状を有した生活消費材（家具、ブラインド、造花、照明、家電製品）の本体に、あるいは、屋内外の建造物、屋外用木材、擬木、看板、コンクリート等に直接塗工して、生活用品からなる光合成物品を形成するようにしてもよい。
【００５４】
また、生物２０を紙に漉くことによって、紙からなるベース材と、ベース材内に漉き込まれて保持された生物２０と、からなる光合成物品を形成するようにしてもよい。
【００５５】
さらに、多孔質体からなるベース材に対して、生物２０を含んだ液体（光合成塗工液の一態様）を含浸させ、多孔質体からなるベース材に対して生物２０が保持されるようにしてもよい。多孔質体からなるベース材は、一例として、二酸化ケイ素、酸化チタン、セラミックス、シリカ、アルミナ、ゼオライト、活性炭、メンブランフィルム（例えば、ＭＦ膜、ＵＦ膜、ＲＯ膜）等から構成され得る。
【００５６】
〔第２の実施の形態〕
次に、図２および図３を参照して、本発明による第２の実施の形態について説明する。第２の実施の形態においては、本発明による光合成物品をカードに適用した例について、説明する。なお、図２は、カードとした形成された第２の実施の形態による光合成物品２０の斜視図である。図３は、図２のＩＩＩ−ＩＩＩ線に沿った断面図である。
【００５７】
図２に示すように、光合成物品３０は、ケース３２と、ケース３２内に設けられた保水剤３４と、保水剤３４に保持されたＣＡＭ植物４０と、を有している。ケース３２は、凹部として形成された収容部３２ａを有している。また、光合成物品３０は、収容部３２ａを通気可能に覆う透光性を有した蓋材３６をさらに有している。この蓋材３６は、ケース３２に対して取り外し可能に固定されている。ケース３２および蓋材３６は、例えば、樹脂によって形成され得る。図３に示すように、ケース３２にはＩＣチップ等を含む回路３８が内蔵されている。このＩＣチップ等を含む回路３８により、カード状の光合成物品３０は、外部装置（リーダ・ライタ）と接触または非接触にて通信可能な情報記録媒体（例えば、定期や社員証）として機能し得るようになっている。
【００５８】
保水剤３４は、収容部３２ａの底に配置されている。この保水剤３４は、例えば高分子吸水ゲル、綿やスポンジ等からなり、一定期間にわたって水分を保持することができるように構成されている。
【００５９】
この保水剤３４上には、ＣＡＭ植物４０が設けられている。ＣＡＭ植物４０は、砂漠等の乾燥地域によく見られ、少ない水分を有効に利用して特殊な方法で光合成を行う植物である。具体的には、ＣＡＭ植物４０は、気温が低下して水分を失うことの少ない夜間に気孔を開き、二酸化炭素を吸収して内部に貯蔵する。その一方で、ＣＡＭ植物４０は、気温が上昇する昼間に気孔を開くことなく、光合成する。また、ＣＡＭ植物は、比較的に生育の速い植物としても知られている。このようなＣＡＭ植物として、サボテンやラン等の多肉植物が挙げられる。図２および図３に示す例においては、ランのカルスが、ＣＡＭ植物４０として、ケース３２内に収容され、さらに、このカルス４０から芽が出た状態が示されている。
【００６０】
次に、以上のような構成からなる光合成物品３０の作用について説明する。上述したように、光合成物品３０の保水剤３４上には、ＣＡＭ植物４０が担持されている。保水剤３４およびＣＡＭ植物４０は、ケース３２の収容部３２ａ内に配置され、収容部３２ａは透光性の蓋材３６によって通気可能に閉じられている。このため、ＣＡＭ植物４０は、ケース３２内で光合成を行いながら生育することができる。この結果、光合成物品３０は、二酸化炭素を吸収可能なカードとして機能することができる。
【００６１】
また、蓋材３６を取り外して保水剤３４に水分を供給することもできる。さらに、保水剤３４に栄養分を吸収させるようにすることもできる。したがって、このカード３０が情報記録媒体として使用される長い期間にわたって、ＣＡＭ植物４０を生息させ二酸化炭素を吸収させることができる。
【００６２】
さらに、ＣＡＭ植物４０の成長は比較的に速い。したがって、光合成物品３０の使用者は、ＣＡＭ植物４０を育てる楽しみを光合成物品３０から得ることができるとともに、ＣＡＭ植物４０の成長から、やすらぎやゆとり等を与えられ得る。
【００６３】
また、第２の実施の形態による光合成物品３０も、第１の実施の形態のよる光合成物品１０と同様に、環境保全活動に参加したいと願う一般市民の関心を呼ぶことによって、理想的な環境保全活動の創出を期待することができる。また、一般市民を巻き込む活動となることから、莫大な量での二酸化炭素の削減を期待することができる。加えて、一般市民に対して環境保全の重要性をさらに浸透させることができ、これにより、環境保全活動が今以上に盛り上がっていくことを期待することもできる。
【００６４】
以上のような第２の実施の形態によれば、一般市民に広く使用される用品に適用され得る光合成物品３０によって、大きな負担を必要とせずに二酸化炭素の排出量を低減させることができる。
【００６５】
なお、上述した第２の実施の形態に対して様々な変更を加えることが可能である。以下、変形の一例について説明する。
【００６６】
上述した第２の実施の形態において、カード状の光合成物品３０が情報記録媒体に適用される例を示したが、これに限られず、例えば、ポスター、カレンダー、建材（例えば壁紙）等に、光合成物品３０を適用することができる。
【００６７】
また、上述した実施の形態において、光合成物品３０がカード状に形成される例を示したが、これに限られず、種々の形状を有するようにしてもよい。例えば、特定の立体形状を有した生活消費材（芳香剤、ティッシュケース、雑誌の付録）の本体が、保水剤３４と、保水剤３４に保持されたＣＡＭ植物４０と、を収容するケースとして機能するようにしてもよい。
【実施例】
【００６８】
第１の実施の形態において説明した光合成塗工液を、以下のようにして作製した。その後、作製された光合成塗工液を用いて、シート状の光合成物品を作製した。
【００６９】
最初に、気生藻類に属するスミレモを、光合成物品に保持される生物として、以下のようにして用意した。まず、墓石に付着していたスミレモを採取した。採取したスミレモを、培養液約１５Ｌに接種して、２５℃で３日間、Ｊａｒ  Ｆｅｒｍｅｎｔｏｒ内で培養した。次に、連続遠心分離機により、スミレモを洗浄し回収を行った。
【００７０】
回収されたスミレモからすぐに光合成塗工液を作製せず、いったん、スミレモを凍結乾燥させて保存した。なお、スミレモを凍結乾燥させる際に、蛋白保護剤をスミレモと混合した。凍結乾燥されたスミレモを、１０℃で１０日間保存した。
【００７１】
その後、凍結乾燥させたスミレモをシリカに固定した。次に、シリコーン系消泡材、アクリル系エマルジョン、および、スミレモを予め固定したシリカを、水に混合して、光合成塗工液を調整した。また、光合成塗工液には、界面活性剤等の添加剤を適宜加えた。
【００７２】
得られた光合成塗工液を、フレキソ印刷によって、紙に印刷した。紙は、包装用材料として通常用いられているもとした。印刷後、紙に塗工された光合成塗工液を乾燥させた。光合成塗工液の乾燥は、塗工液を塗工された紙を、６５℃の乾燥ゾーンを通過させて行った。
【符号の説明】
【００７３】
１０  光合成物品
１２  ベース材
１４  塗工液
１４ａ  母材
１６  接合層
１８  保護膜
２０  生物
３０  光合成物品
３２  ケース
３２ａ  収容部
３４  保水剤
３６  蓋材
４０  生物
【図１】
2010233518.tif 000003
【図２】
2010233518.tif 000004
【図３】
2010233518.tif 000005